(57)【特許請求の範囲】
【請求項１】
上下ケースを蓋合わせ状に結合してなる本体ケースの内部左右に、テープリールが回転自在に配置されており、
前記本体ケースの後方の左右中央部位に、前記各テープリールにそれぞれ回り止め状に係合する左右一組のロックピースを有し、
前記各ロックピースは、ブロック状のピース本体の前端に係合爪を有し、
前記各ロックピースを、前記係合爪が前記各テープリールに係合するロック位置と、前記係合爪が前記各テープリールから外れるアンロック位置とにわたって前後摺動自在に案内支持するガイド手段が設けられており、
前記ガイド手段として、前記下ケースの底壁の内面上に、それぞれ前後方向に走る中央ガイド壁と、これの左右に配される側面ガイド壁とが立設されており、
前記中央ガイド壁と前記側面ガイド壁との間に形成された二つの各ガイド溝に、前記ピース本体がそれぞれ独立して前後方向にのみ摺動自在に、上方から落とし込み装着されており、
前記中央ガイド壁が前記各側面ガイド壁よりも後方に長く延長形成されており、
前記各ピース本体の後端側の下部に、前記側面ガイド壁の後方に位置する第１突部が、横外側方に向けて張り出し形成されていることを特徴とするテープカートリッジ。
【請求項２】
前記中央ガイド壁の上端が、前記各側面ガイド壁の上端よりも高く位置設定されており、
前記各ピース本体の前端側の上部に、前記側面ガイド壁の上端に被さる第２突部が、横外側方に向けて張り出し形成されている請求項１記載のテープカートリッジ。
【請求項３】
前記各ピース本体に作用するばね部材を有し、このばね部材で前記各ロックピースがロック位置に向けて移動付勢されている請求項１または２記載のテープカートリッジ。
【請求項４】
前記下ケースの底壁には、前記両ガイド溝の溝底に、前記中央ガイド壁を跨いでひとつの解除操作口が内外貫通状に設けられており、
前記解除操作口を介して下方から前記本体ケース内に突入して来るデッキ側の解除操作部材で、前記両ロックピースがロック位置からアンロック位置にまで同時に移動操作されるようにした請求項３記載のテープカートリッジ。
【請求項５】
前記各ピース本体には、前記解除操作口に臨むカム面が形成されており、
前記解除操作部材の突き上げ操作により、前記解除操作部材が前記各カム面に当たって、前記両ロックピースがロック位置からアンロック位置まで同時に移動操作されるようにした請求項４記載のテープカートリッジ。  
【発明の詳細な説明】
【０００１】
【発明の属する技術分野】
本発明は、上下ケースを蓋合わせ状に結合してなる本体ケースの内部左右に、テープリールが回転自在に配置されており、本体ケース内に各テープリールの回り止めを図るリールロック手段が設けられているテープカートリッジにおいて、リールロック手段に改良を加えたものである。
【０００２】
【従来の技術】
従来のリールロック手段としては、図９に示すごとく、本体ケース１内の後方の左右中央部位に、ピース本体１２の前端に係合爪１３を有する左右一組のロックピース１１ａ・１１ｂを、本体ケース１の底壁の内面上において係合爪１３が各テープリール３・３に係合する前方のロック位置と、係合爪１３が各テープリール３から外れる後方のアンロック位置とにわたって前後方向へ摺動自在に装着し、各ロックピース１１ａ・１１ｂを個別に前方のロック位置に向かってばね部材１５・１５で移動付勢する形式が公知である。例えば、代表的なものに実開昭６２−１５１７９号公報がある。そこでは、本体ケース１の底壁の内面上に、前後方向に走る側面ガイド壁１８ａ・１８ｂを左右に立設し、両側面ガイド壁１８ａ・１８ｂ間に形成されたガイド溝内に、各ロックピース１１ａ・１１ｂのピース本体１２・１２が前後方向に摺動できるように上方から落とし込み装着されている。本体ケース１の底壁には前後方向に長い解除操作口１９を設けてあり、本体ケース１をデッキに装填したとき、デッキ側の解除操作部材が該解除操作口１９を介して本体ケース１内に突入してケース後方側へ相対的に移動することにより、この解除操作部材で両ロックピース１１ａ・１１ｂが前方のロック位置から後方のアンロック位置へ移動操作されるものとなっている。
【０００３】
このようにロックピースを左右に分割することにより、個々のロックピース１１ａ・１１ｂが独立して前後方向に摺動する形式では、左右のテープリール３・３の異なる遊動に対しても、これによく追従してロック状態を維持できる利点を有する。
【０００４】
【発明が解決しようとする課題】
しかし、上記の従来例では、スペース上の制約から左右に近接配置したロックピース１１ａ・１１ｂどうしが接触し合い、各ロックピースを他に干渉されることなく独立して前後移動させるのに難がある。そこで、各ロックピース１１ａ・１１ｂのピース本体１２・１２をそれぞれブロック状に形成し、両ピース本体１２・１２の対向内側面どうしを摺接させることを検討したが、それでもなお両者の接触干渉による不具合は依然として避け難い。
【０００５】
更に問題となるのは、実質的に左右対称形状をなす一組のロックピース１１ａ・１１ｂは、右手と左手の関係のごとく鏡像関係にあり、各々が右用か左用かの違いを見分けるのは容易ではなく、両者を左右逆に誤って組み込みやすい点にある。すなわち、右側にあるべきロックピース１１ｂを左側に、または左側にあるべきロックピース１１ａを右側に組み込むことがある。このようにロックピース１１ａ・１１ｂを左右逆に組み込むと、前方のロック位置で係合爪１３がテープリール３・３に係合しなくなる。また、両ロックピース１１ａ・１１ｂの両方または一方を上下逆向きに組み込むと、デッキ側の操作部材で各ロックピースを前方のロック位置から後方のアンロック位置に移動操作できない事態を招くことになる。かかる誤組みが発生すると、ロックピースを組み直さざるを得ない。それには本体ケースの上下ケースを一旦分解するなど、その手間が著しく煩わしい。本体ケースが上下ケースを超音波溶着で結合してある場合には、もはや組み直しが利かない。
【０００６】
そこで本発明の目的は、左右一組のロックピースを左右に隣接配置しながらも、これが互に接触干渉し合うことがなく、従って各ロックピースがそれぞれ独立して円滑に前後摺動でき、不使用時における左右の各テープリールの回り止め機能が有効に発揮されるリールロック手段を備えたテープカートリッジを得るにある。
【０００７】
本発明の目的は、デッキに装填したとき、デッキ側の解除操作部材が本体ケース内にこれの底壁から突入して来ることにより、両ロックピースがロック位置からロック解除位置にまで同時に移動操作され、リールロックが円滑に行えるテープカートリッジを得るにある。
【０００８】
更に本発明の目的は、隣接配置した左右一組のロックピースが左右逆向きおよび／または上下逆向きに誤って組み込まれるのを防止することにある。
【０００９】
【課題を解決するための手段】
本発明に係るテープカートリッジは、図１ないし図６に示すごとく、上下ケース１ａ・１ｂを蓋合わせ状に結合してなる本体ケース１の内部左右に、テープリール３・３が回転自在に配置されており、本体ケース１の後方の左右中央部位に、各テープリール３・３にそれぞれ回り止め状に係合する左右一組のロックピース１１ａ・１１ｂを有し、各ロックピース１１ａ・１１ｂは、ブロック状のピース本体１２の前端に係合爪１３を有し、左右の各ロックピース１１ａ・１１ｂを、係合爪１３が各テープリール３に係合するロック位置と、係合爪１３が各テープリール３から外れるアンロック位置とにわたって前後摺動自在に案内支持するガイド手段が設けられている。このガイド手段として、下ケース１ｂの底壁の内面上に、それぞれ前後方向に走る中央ガイド壁１７と、これの左右に配される側面ガイド壁１８ａ・１８ｂとを立設する。中央ガイド壁１７と側面ガイド壁１８ａ・１８ｂとの間に形成された二つの各ガイド溝１６ａ・１６ｂに、ピース本体１２をそれぞれ独立して前後方向にのみ摺動自在に、上方から落とし込み装着する。中央ガイド壁１７を各側面ガイド壁１８ａ・１８ｂよりも後方に長く延長形成する。各ピース本体１２の後端側の下部に、側面ガイド壁１８ａ・１８ｂの後方に位置する第１突部２５ａを、横外側方に向けて張り出し形成する。
【００１０】
中央ガイド壁１７の上端を、各側面ガイド壁１８ａ・１８ｂの上端よりも高く位置設定する。各ピース本体１２の前端側の上部に、側面ガイド壁１８ａ・１８ｂの上端に被さる第２突部２５ｂを、横外側方に向けて張り出し形成する。
【００１１】
左右の各ロックピース１１ａ・１１ｂのピース本体１２・１２に作用するばね部材１５を有し、このばね部材１５で各ロックピース１１ａ・１１ｂをロック位置に向けて移動付勢している。ここでのばね部材１５は単一であってもよい。
【００１２】
下ケース１ｂの底壁には、両ガイド溝１６ａ・１６ｂの溝底に中央ガイド壁１７を跨いでひとつの解除操作口１９が内外貫通状に設けられており、解除操作口１９を介して下方から本体ケース１内に突入して来るデッキ側の解除操作部材で、両ロックピース１１ａ・１１ｂがロック位置からアンロック位置にまで同時に移動操作されるものとなっている。この場合の解除操作部材は、解除操作口１９に突入したのち、相対的に前後方向へ移動して両ロックピース１１ａ・１１ｂをアンロック位置に向けて移動操作する形式を含む。
【００１３】
各ロックピース１１ａ・１１ｂのピース本体１２・１２に、前記解除操作口１９に臨むカム面２４・２４がそれぞれ形成されており、デッキ側の解除操作部材の突き上げ操作により、解除操作部材が各ロックピース１１ａ・１１ｂのカム面２４・２４に当たって両ロックピースがロック位置からアンロック位置にまで同時に移動操作されるようになっている。この場合は、デッキ側の解除操作部材が両ロックピースのカム面に突き当たることにより、リールロックが解除される。
【００１９】
【作用】
下ケース１ｂの底壁上に中央ガイド壁１７と左右の側面ガイド壁１８ａ・１８ｂとがそれぞれ立設され、中央ガイド壁１７と側面ガイド壁１８ａ・１８ｂとの間に形成された各ガイド溝１６ａ・１６ｂにロックピース１１ａ・１１ｂが装着されていると、各ロックピース１１ａ・１１ｂは中央ガイド壁１７をはさんで近接対向することにより、各ロックピースどうしが独立して前後摺動するとき互いに接触干渉し合うことはない。
【００２０】
各ロックピース１１ａ・１１ｂに第１突部２５ａと第２突部２５ｂとが設けられている場合、各ロックピース１１ａ・１１ｂは左右および上下のいずれの方向においても正規の姿勢にある限り、その各ピース本体１２は左右の各ガイド溝１６ａ・１６ｂに上方から落とし込み装着できる。この組み付け状態において、各ロックピース１１ａ・１１ｂの第１突部２５ａ・２５ａは、左右の側面ガイド壁１８ａ・１８ｂの後方側に位置して該側面ガイド壁１８ａ・１８ｂと接当干渉しない。また、各ロックピース１１ａ・１１ｂの第２突部２５ｂ・２５ｂは、左右の側面ガイド壁１８ａ・１８ｂの上端に被さった状態にあって、該側面ガイド壁１８ａ・１８ｂにも接当干渉しない。従って、各ロックピース１１ａ・１１ｂは前方のロック位置と後方のロック位置との間にわたって摺動自在となる。
【００２１】
いまロックピース１１ａ・１１ｂが左右逆向きに組み込まれんとせんか。その場合は、図７（ａ）・（ｂ）に示すごとく、中央ガイド壁１７は側面ガイド壁１８ａ・１８ｂよりも後方に長く延長形成されているので、各ロックピースのピース本体１２の後端側の下部に設けた第１突部２５ａが、中央ガイド壁１７の後方の上端に接当干渉し、これにて各ロックピースのピース本体１２を各ガイド溝１６ａ・１６ｂに落とし込み装着できない。
【００２２】
また、ロックピース１１ａ・１１ｂが上下逆向きに組み込まれんとせんか。更にはロックピース１１ａ・１１ｂが左右逆向きでかつ上下逆向きに組み込まれんとせんか。それらの場合は、図８（ａ）・（ｂ）に示すごとく、各ロックピース１１ａ・１１ｂのピース本体１２の前端側の上部に設けた第２突部２５ｂが、左右の各側面ガイド壁１８ａ・１８ｂの上端に接当干渉し、これにて各ロックピースのピース本体１２を各ガイド溝１６ａ・１６ｂに落とし込み装着できない。
【００２３】
【発明の効果】
従って本発明によれば、左右一組のロックピースを狭溢な場所に近接させて配置しても、両者間に中央ガイド壁が介在するので、円滑にロック位置とアンロック位置とにわたって前後摺動し、リールロックの作動を確実なものにすることができる。また、本体ケースに一組のロックピースが左右逆向きにおよび／または上下逆向きに誤組みされることを未然に防止できる。このことは、組み付けの自動機械化にも有利となるものである。
【００２４】
【実施例】
図１ないし図６は本発明に係るテープカートリッジの実施例としてビデオ用のそれを示す。図１において、上下ケース１ａ・１ｂを蓋合わせ状に結合してなる左右横長の本体ケース１の内部左右には、テープ２が巻かれるテープリール３・３を回転自在に配置してある。テープ２は、本体ケース１の前方左右のテープガイド４・４を介して、一方のテープリール３から繰り出されたのち、他方のテープリール３に巻き取られる。
【００２５】
本体ケース１の前面には、テープローディング用のポケット５が凹設されている。不使用時にポケット５の開口前面を横切るテープ２を保護するために、テープ２の前面外側および背面内側を前蓋６と裏蓋７とで覆い、さらにテープ２およびポケット５の上面を図外の上蓋で覆っている。デッキに装填して前蓋６が完全に上開き操作されたとき、これに連動して裏蓋７と上蓋とが上開き作動し、テープ２が前方にローディング可能なスタンバイ状態となる。
【００２６】
本体ケース１の後方の左右中央部、具体的には本体ケース１の後壁９と左右のリール３・３とで囲まれる三角形状の空間Ｓに、不使用時における各テープリール３の遊転を防ぐリールロック手段１０が配置されている。このリールロック手段１０は、図２および図３に示すように、実質的に左右対称形に形成された左右一組のロックピース１１ａ・１１ｂを主な構成要素とする。各ロックピース１１ａ・１１ｂは、ブロック状のピース本体１２と、その前端から前方に向かってく字形状に突設した左右方向に弾性変形可能なロック爪１３とを一体に形成したプラスチック成形品であり、ロック爪１３の先端が各テープリール３の下フランジ３ａの外周縁に形成した係合歯１４に係合することで不使用時の各テープリール３の遊転を規制する。各ロックピース１１ａ・１１ｂは、ねじりコイルばねからなるばね部材１５・１５で個別にケース前方に向かって移動付勢されている。
【００２７】
前記空間Ｓには、下ケース１ｂの底壁の内面上においてロックピース１１ａ・１１ｂをそれぞれ独立して前後方向にのみスライド自在に案内支持するためのガイド手段を有する。そのガイド手段として、図２に示すごとく下ケース１ｂの底壁の内面には、前後方向に走る中央ガイド壁１７と、この中央ガイド壁１７の左右に所定の間隔をおいて略平行状に配置された一対の側面ガイド壁１８ａ・１８ｂとがそれぞれ立設されている。そして、中央ガイド壁１７と左右の側面ガイド壁１８ａ・１８ｂとの間にガイド溝１６ａ・１６ｂが形成され、このガイド溝１６ａ・１６ｂに左右の各ロックピース１１ａ・１１ｂのピース本体１２・１２が上方から落とし込み装着されており、これにて各ロックピース１１ａ・１１ｂが前後方向にのみ摺動する。各側面ガイド壁１８ａ・１８ｂの前端は、テープリール３・３の外周に沿うよう部分円弧状に設けられた区分壁２０・２０に連結されている。
【００２８】
かくして、下ケース１ｂに組み込んだ状態のロックピース１１ａ・１１ｂは、図２に示すように各ロック爪１３の先端が各テープリール３の係合歯１４に係合する前方ロック位置と、各ロック爪１３が各テープリール３の係合歯１４から外れる後方のアンロック位置との間にわたって前後方向にのみ摺動する。
【００２９】
下ケース１ｂの底壁には、両ガイド溝１６ａ・１６ｂの溝底に中央ガイド壁１７を跨ぐ状態でひとつの解除操作口１９が内外貫通状に設けられており、解除操作口１９を介して下方から本体ケース１内に突入して来るデッキ側の解除操作部材Ｐで（図５（ａ）参照）、左右の各ロックピース１１ａ・１１ｂが前方のロック位置から後方のアンロック位置にまで移動操作される。
【００３０】
すなわち、左右の各ばね部材１５は、一端が下ケース１ｂの後壁９の内面に掛け止められて、他端が各ロックピース１１ａ・１１ｂのピース本体１２の後端に切り欠き形成した係止部２２に掛け止められており、これにてロックピース１１ａ・１１ｂが、ケース前方に向けて押圧付勢されている。各ロックピース１１ａ・１１ｂには、ピース本体１２・１２の対向する内側面にカム面２４・２４が解除操作口１９に臨むようが形成されており（図３、４参照）、解除操作部材Ｐが該カム面２４・２４に当たることにより、両ロックピース１１ａ・１１ｂの全体をケース後方に前記ばね部材１５・１５に抗して同時に摺動操作する。
【００３１】
左右のロックピース１１ａ・１１ｂが、左右逆向きおよび上下逆向きに誤って組み込まれるのを防ぐために、各側面ガイド壁１８ａ・１８ｂの後端が中央ガイド壁１７の後端よりも前方に位置するとともに、中央ガイド壁１７の上端が各側面ガイド壁１８ａ・１８ｂの上端よりも高く位置するように設定する。そして、各ロックピース１１ａ・１１ｂのピース本体１２の外側壁２１には、後端側の下部に第１突部２５ａを、前端側の上部に第２突部２５ｂをそれぞれ横外側方に向けて張り出し形成する。
【００３２】
かくして、図２および図６に示すように、ガイド溝１６ａ・１６ｂにロックピース１１ａ・１１ｂを正常姿勢で装填した場合には、各々の第１突部２５ａおよび第２突部２５ｂが中央ガイド壁１７および側面ガイド壁１８ａ・１８ｂに接当干渉することなく、ガイド溝１６ａ・１６ｂに上方から落とし込み装着できる。すなわち、第１突部２５ａは、各側面ガイド壁１８ａ・１８ｂの後端よりケース後方側にあって下ケース１ｂの内底面上を摺動し、第２突部２５ｂは各側面ガイド壁１８ａ・１８ｂの上端面に被さった状態となる。この第２突部２５ｂは下面が各側面ガイド壁１８ａ・１８ｂの上端面に近接対向した状態にあることを予測しているが、直接に摺接してもよい。
【００３３】
中央ガイド壁１７の前端寄り部位には、左右方向に伸びる突起状の規制部２３を設けてあり、各ピース本体１２の第１突部２５ａが各側面ガイド壁１８ａ・１８ｂの後端に突き当たるのに先行して各ピース本体１２の前端が該規制部２３に当たることにより、各ロックピース１１ａ・１１ｂが規定の前方ロック位置を越えて更に前方へ摺動変位するのを規制している。なお、第１突部２５ａを各側面ガイド壁１８ａ・１８ｂの後端に当てることにより、各ロックピース１１ａ・１１ｂの前方摺動限界を接当規制してもよい。
【００３４】
いま、ロックピース１１ａ・１１ｂをガイド溝１６ａ・１６ｂに左右逆向きに組み込もうとしたときは、図７（ａ）・（ｂ）に示すごとく、第１突部２５ａが中央ガイド壁１７の上端と接当干渉するため、各ロックピース１１ｂ・１１ａをガイド溝１６ａ・１６ｂ内に組み込めない。また、図８（ａ）に示すごとく、ロックピース１１ａ・１１ｂを上下逆向きに組み込もうとすると、今度は第２突部２５ｂが側面ガイド壁１８ａ・１８ｂの上端と接当干渉し、同じくガイド溝１６ａ・１６ｂにロックピース１１ｂを組み込めない。図８（ｂ）に示すごとく、ロックピース１１ａ・１１ｂを左右逆向きでかつ上下逆向きに組み込もうとした場合にも、第２突部２５ｂが側面ガイド壁１８ａ・１８ｂの上端と接当干渉するので、ロックピース１１ａ・１１ｂはガイド溝１６ａ・１６ｂに組み込めないことになる。
【００３５】
なお、下ケース１ｂにテープリール３・３およびリールロック手段１０の構成部材などを一式組み込んだのち、下ケース１ｂに上ケース１ａを被せ付けて、上下ケース１ａ・１ｂはねじ止めまたは超音波溶着により一体に結合される。図示省略するが、上ケース１ａ側にも、例えば左右の側面ガイド壁１８ａ・１８ｂが突設されていて、上下の側面ガイド壁１８ａ・１８ｂ間に各ロックピース１１ａ・１１ｂの第２突部２５ｂ・２５ｂが前後動自在に挟持され、これにて各ロックピース１１ａ・１１ｂの浮き上がりを接当規制している。尤も、このロックピースの浮き上がり規制は、上ケース１ａの内面から突設する他の部材で行ってもよいことは言うまでもない。
【００３６】
（別実施態様例）  図示例において、中央ガイド壁１７はこれの後端が下ケース１ｂの後壁９につながっていてもよい。また左右の各側面ガイド壁１８ａ・１８ｂの後端も下ケース１ｂの後壁９につなぐことができ、この場合は各側面ガイド壁１８ａ・１８ｂに第１突部２５ａが前後摺動自在に臨む開口部を切り欠き形成したものとし、該開口部の前端が本発明で言うところの各側面ガイド壁１８ａ・１８ｂの実質的な後端となるようにすることができる。第１突部２５ａは、各ロックピース１１ａ・１１ｂの後端側において好ましくは下方寄りの上下中間位置に形成されていてもよい。
【００３７】
各ロックピース１１ａ・１１ｂをロック位置に向けて押圧付勢するばね部材は、上記実施例のごときねじりコイルばねでなく、圧縮コイル状のばねであってもよい。このテープカートリッジは、８ミリビデオ用や、ＶＨＳ用などにも広く適用できる。
【図面の簡単な説明】
【図１】内部の全体を示す平面図
【図２】リールロック手段を示す要部の拡大平面図
【図３】ロックピースを示す斜視図
【図４】ロックピースの組み込み方法を示す斜視図
【図５】図５（ａ）は要部の拡大平面図、図５（ｂ）は図５（ａ）のＡ−Ａ線断面図、図５（ｃ）は図５（ａ）のＢ−Ｂ線断面図
【図６】ロックピースを正常に組み込んだ状態を示す要部の縦断正面図
【図７】（ａ）、（ｂ）は、ロックピースを左右逆向きに誤組した状態を示す断面図
【図８】（ａ）、（ｂ）は、ロックピースを上下逆向きに誤組した状態を示す断面図
【図９】従来のリールロック手段を示す要部の内部平面図
【符号の説明】
１  本体ケース
１ａ  上ケース
１ｂ  下ケース
３  テープリール
１０  リールロック手段
１１ａ・１１ｂ  ロックピース
１２  ピース本体
１３  係合爪
１５  ばね部材
１６ａ・１６ｂ  ガイド溝
１７  中央ガイド壁
１８ａ・１８ｂ  側面ガイド壁
１９  解除操作孔
２５ａ  第１突部
２５ｂ  第２突部
【図１】
0004371340.tif 000002
【図２】
0004371340.tif 000003
【図３】
0004371340.tif 000004
【図４】
0004371340.tif 000005
【図５】
0004371340.tif 000006
【図６】
0004371340.tif 000007
【図７】
0004371340.tif 000008
【図８】
0004371340.tif 000009
【図９】
0004371340.tif 000010